(57)【要約】【課題】身体の発汗量が変化する睡眠周期を想定した運転パターンで送風運転することにより快適な睡眠環境を実現する天井扇を提供する。【解決手段】ファンモーターと、このファンモーターに接続され風を送る羽根と、睡眠周期を想定した運転パターンを記憶しておく運転パターン記憶手段７と、運転時間設定手段５と、運転スケジュールを作成する運転スケジュール作成手段６と、運転スケジュールを記憶する運転スケジュール記憶手段８と、制御手段を備えた。【選択図】図２
2012082764.tif 000002
【特許請求の範囲】
【請求項１】
ファンモーターと、このファンモーターに接続され風を送る羽根と、睡眠周期を想定した運転パターンを記憶しておく運転パターン記憶手段と、運転時間設定手段と、運転スケジュールを作成するスケジュール作成手段と、制御手段を備え、前記制御手段は前記運転時間設定手段に入力された時間に応じて運転スケジュールを作成すると共に運転スケジュール記憶手段に記憶し、記憶した運転スケジュールに従いファンモーターを制御することを特徴とする天井扇。
【請求項２】
運転パターンは、ファンモーターが有するすくなくとも３段階以上の風速を所定の数だけ順番に並べて形成し、運転スケジュールは、運転時間設定手段で設定された運転時間を前記所定の数に分割したそれぞれの時間帯に前記運転パターンを振り分けて運転スケジュール記憶手段に記憶させて生成する制御手段を備えた請求項１記載の天井扇。
【請求項３】
就寝中の身体の動作から寝返りを検出する寝返り検知手段と、寝返りを検知したときに、
前記寝返りを検知した時間帯の風速を１段階増やすスケジュール変更手段を備えた請求項１または２記載の天井扇。
【請求項４】
運転スケジュール変更手段と、運転パターン更新手段とを備え、前記運転スケジュール変更手段によって変更された運転スケジュールで運転が最後まで行われた場合に、運転パターン記憶手段に記憶された運転パターンを更新する前記運転パターン更新手段を備えた請求項１から３のいずれか一つに記載の天井扇。
【請求項５】
おやすみタイマーで運転する複数の風量パターンを備え、選択された風量パターンで運転することを特徴とする請求項１から４のいずれかに記載の天井扇。
【請求項６】
制御手段と、室内を照らす照明手段を備え、おやすみタイマーのタイマー終了後、照明を点灯することを特徴とする請求項１から５のいずれかに記載の天井扇。
【請求項７】
制御手段と、室内を照らす複数の照明手段を備え、おやすみタイマーのタイマー終了後、照明を順次点灯することを特徴とする請求項１から５のいずれかに記載の天井扇。
【請求項８】
制御手段と、報知手段を備え、おやすみタイマーのタイマー終了後、報知手段を鳴動することを特徴とする請求項１から７のいずれかに記載の天井扇。
【発明の詳細な説明】
【技術分野】
【０００１】
本発明は、快適な睡眠と覚醒を促す天井扇に関するものである。
【背景技術】
【０００２】
従来、この種の扇風機として、空気調和機と併用して段階的に風量を下げるタイマー運転を行うものやおやすみ運転後に所定温度以上上昇したとき電動機を駆動すると共に、首振りモーターを駆動するものが知られていた（例えば特許文献１参照）。
【０００３】
以下、扇風機について図１２を参照しながら説明する。
【０００４】
図１１に示すように、操作部１０１と操作部１０１にスリットを設けた収納空間に内蔵された温度センサ１０２とスタンド１０３で形成された基台に電動機１０４の回転数を制御して送風する送風ファン１０４と、扇風機頭部を左右に振る左右首振モーター１０５とにより構成されている。空気調和機の運転停止後、温度センサ１０２により室温上昇を検出して電動機１０４を作動し、そのときの温度に応じて左右首振モーター１０５を駆動する。
【先行技術文献】
【特許文献】
【０００５】
【特許文献１】特開平６−２４９１８８号公報
【発明の概要】
【発明が解決しようとする課題】
【０００６】
このような従来の図１２の扇風機では、室温の上昇により駆動するため睡眠時の身体の状態変化に関わらず送風され、また身体に直接送風された場合には冷えによる体調不良を引き起こす可能性があるという課題があり、空気調和機と併用した快適な睡眠環境が要求されている。
【０００７】
本発明は、上記従来の課題を解決するもので、身体の発汗量が変化する睡眠周期を想定した運転パターンで送風運転することにより快適な睡眠環境を実現する天井扇を提供することを目的としている。
【課題を解決するための手段】
【０００８】
本発明の天井扇は、上記目的を達成するために、ファンモーターと、このファンモーターに接続され風を送る羽根と、睡眠周期を想定した運転パターンを記憶しておく運転パターン記憶手段と、運転時間設定手段と、運転スケジュールを作成する運転スケジュール作成手段と、運転スケジュールを記憶する運転スケジュール記憶手段と、制御手段を備えた構成としたものである。
【０００９】
この手段により、睡眠周期を想定した運転パターンで運転する天井扇が得られる。
【００１０】
また、他の手段は、運転パターンは、ファンモーターが有するすくなくとも３段階以上の風速を所定の数だけ順番に並べて形成し、運転スケジュールは、運転時間設定手段で設定された運転時間を前記所定の数に分割したそれぞれの時間帯に前記運転パターンを振り分けて運転スケジュール記憶手段に記憶させて生成する制御手段を備えた構成としたものである。
【００１１】
この手段により、設定した運転時間に応じて生成した運転パターンで運転する天井扇が得られる。
【００１２】
また、他の手段は、就寝中の身体の動作から寝返りを検知する寝返り検知手段と、寝返りを検知したときに、前記寝返りを検知した時間帯の風速を１段階増やす運転スケジュール変更手段を備えた構成としたものである。
【００１３】
この手段により、寝返り検知手段による就寝中の寝返りを検知した信号から制御手段により運転スケジュールの風速を変更する天井扇が得られる。
【００１４】
また、他の手段は、運転スケジュール変更手段と、運転パターン更新手段と、前記運転スケジュール変更手段によって変更された運転スケジュールで運転が最後まで行われた場合に、運転パターン記憶手段に記憶された運転パターンを更新する前記運転パターン更新手段を備えた構成としたものである。
【００１５】
この手段により、就寝者の睡眠周期に運転パターンを補正した天井扇が得られる。
【００１６】
また、他の手段は、すくなくとも３段以上の風速の強さを設定する風速設定手段と、風速設定手段で設定された風速に運転パターン記憶手段に記憶された運転パターンを更新する運転パターン更新手段を備えた構成としたものである。
【００１７】
この手段により、任意の風速で運転する天井扇が得られる。
【００１８】
また、他の手段は、制御手段と、室内を照らす照明手段を備えた構成としたものである。
【００１９】
この手段により、運転時間設定手段で設定された運転時間終了後、照明を点灯する天井扇が得られる。
【００２０】
また、他の手段は、制御手段と、すくなくとも２灯以上の照明手段を備えた構成としてものである。
【００２１】
この手段により、運転時間設定手段で設定された運転時間終了後、照明を順次点灯する天井扇が得られる。
【００２２】
また、他の手段は、制御手段と、報知手段を備えた構成としたものである。
【００２３】
この手段により、報知手段を鳴動する天井扇が得られる。
【発明の効果】
【００２４】
本発明によれば、身体の発汗量が変化する睡眠周期を想定した運転パターンで運転する天井扇を提供できる。
【００２５】
また、運転時間設定手段で設定された運転時間終了後、覚醒を促す天井扇を提供できる。
【図面の簡単な説明】
【００２６】
【図１】本発明の実施の形態１の天井扇の構成を示す側面概略図
【図２】同実施の形態１の天井扇の構成を示すフローチャート
【図３】同実施の形態１の睡眠時の発汗量の推移図
【図４】同実施の形態２の天井扇の構成を示すフローチャート
【図５】同実施の形態３の天井扇の構成を示す側面概略図
【図６】同実施の形態３の天井扇の構成を示すフローチャート
【図７】同実施の形態３の天井扇の構成を示すフローチャート
【図８】同実施の形態３の天井扇の構成を示す側面概略図
【図９】同実施の形態４の天井扇の構成を示す側面概略図
【図１０】同実施の形態４の天井扇の構成を示す側面概略図
【図１１】同実施の形態４の天井扇の構成を示す側面概略図
【図１２】従来の扇風機の構成図
【発明を実施するための形態】
【００２７】
本発明の請求項１記載の発明は、ファンモーターと、このファンモーターに接続され風を送る羽根と、睡眠周期を想定した運転パターンを記憶しておく運転パターン記憶手段と、運転時間設定手段と、運転スケジュールを作成する運転スケジュール作成手段と、運転スケジュールを記憶する運転スケジュール記憶手段と、制御手段を備えたものであり、睡眠周期を想定した運転パターンで運転することができるという作用を有する。
【００２８】
また、請求項２記載の発明は、運転パターンは、ファンモーターが有するすくなくとも３段階以上の風速を所定の数だけ順番に並べて形成し、運転スケジュールは、運転時間設定手段で設定された運転時間を前記所定の数に分割したそれぞれの時間帯に前記運転パターンを振り分けて運転スケジュール記憶手段に記憶させて生成する制御手段を備えたものであり、設定した運転時間に応じて生成した運転パターンで運転することができるという作用を有する。
【００２９】
また、請求項３記載の発明は、就寝中の身体の動作から寝返りを検知する寝返り検知手段と、寝返りを検知したときに、前記寝返りを検知した時間帯の風速を１段階増やす運転スケジュール変更手段を備えたものであり、寝返り検知手段による就寝中の寝返りを検知した信号から制御手段により運転スケジュールの風速を変更することができるという作用を有する。
【００３０】
また、請求項４記載の発明は、運転スケジュール変更手段と、運転パターン更新手段と、前記運転スケジュール変更手段によって変更された運転スケジュールで運転が最後まで行われた場合に、運転パターン記憶手段に記憶された運転パターンを更新する前記運転パターン更新手段を備えたものであり、就寝者の睡眠周期に運転パターンを補正することができるという作用を有する。
【００３１】
また、請求項５記載の発明は、すくなくとも３段以上の風速の強さを設定する風速設定手段と、風速設定手段で設定された風速に運転パターン記憶手段に記憶された運転パターンを更新する運転パターン更新手段を備えたものであり、任意の風速で運転することができるという作用を有する。
【００３２】
また、請求項６記載の発明は、制御手段と、室内を照らす照明手段を備えたものであり、運転時間設定手段で設定された運転時間終了後、照明を点灯するという作用を有する。
【００３３】
また、請求項７記載の発明は、制御手段と、すくなくとも２灯以上の照明手段を備えたものであり、運転時間設定手段で設定された運転時間終了後、照明を順次点灯するという作用を有する。
【００３４】
また、請求項８記載の発明は、制御手段と、報知手段を備えたものであり、運転時間設定手段で設定された運転時間終了後、報知手段を鳴動するという作用を有する。
【００３５】
以下、本発明の実施の形態について図面を参照しながら説明する。
【００３６】
（実施の形態１）
図１は本願発明における天井扇の構成を示す側面概略図、図２は天井扇の制御手段の運転パターンの構成を示すフローチャート、図３は睡眠周期を想定した初期運転パターンである。図１および図２に示すように、天井に吊り下げられた本体１のファンモーター２には放射状に羽根３が連結される。本体１内に設けた制御手段４には、リモコンなどから入力された運転時間を設定する運転時間設定手段５と、入力された運転時間に応じて運転スケジュールを作成する運転スケジュール作成手段６と、作成された運転スケジュールを記憶する運転スケジュール記憶手段８が設けられている。
【００３７】
また、図３に示すようにファンモーター２は４段階の風速を有し、睡眠周期を想定した運転パターンは、睡眠周期を想定して、この４段階の風速をもとに所定の数として１６個を順番に並べて形成したものである。その初期値は、運転パターン記憶手段７に記憶されている。つまり、運転パターンは、睡眠の初期段階では発汗量が増加した後、個人差により９０分から１１０分の周期で発汗量の減少、増加を繰り返し覚醒に向かって発汗量の減少、増加幅も少なくなる。この発汗量の変化に合わせて発汗量の多いときには風速を上げて身体の蒸発を促進し発汗量の少ないときには風速を下げるように４段階の風速を配置している。
【００３８】
上記構成において、リモコンなどから運転時間（例えば７時間）が設定された場合、運転パターンの所定の数は１６なので、運転パターン記憶手段７に記憶された運転パターンが、２６．２分（７時間÷１６＝２６．２分）ごとに並べられた風速に切り替わるように運転スケジュールが運転スケジュール作成手段６に取り込まれることとなる。
【００３９】
運転スケジュール作成手段６に取り込まれた運転スケジュールは、運転スケジュール記憶手段８に記憶される。運転を開始すると、この運転スケジュールに従いファンモーター２の風速を制御する。また、ファンモーター２の送風方向は天井面上向きとすることで就寝者に直接気流が当たらないようにする。このように制御することにより睡眠周期に合わせて発汗量の多いときには風速を上げて身体の蒸発を促進し発汗量の少ないときには風速を下げることで快適な睡眠環境が得られる。
【００４０】
以上のように、運転スケジュール作成手段６が睡眠周期を想定して順番に所定の数を並べて生成した運転パターンを設定された運転時間を前記所定の数で分割した時間に合わせて割振ることで運転スケジュールを作成することで、一つの運転パターンを用意することで、運転時間が異なる場合にも容易に運転スケジュールを作成することができる。
【００４１】
（実施の形態２）
次に、本発明の実施の形態２について図面を参照しながら説明する。なお、実施の形態１と同一のものは同一番号を付し、その詳細な説明を省略する。
【００４２】
本実施の形態では、運転スケジュール作成手段６に運転パターンと運転時間から運転パターンの所定の数に対する不足分の調整を行う運転スケジュール調整手段６Ａ（図示せず）を設けたところに特徴がある。
【００４３】
すでに、実施の形態１で、睡眠の初期段階では発汗量が増加した後、個人差により９０分から１１０分の周期で発汗量の減少、増加を繰り返し覚醒に向かって発汗量の減少、増加幅も少なくなることをのべたが、より個人差に対応できるようにした実施の形態を説明する。
【００４４】
図４に示すように睡眠周期を想定した運転パターンの初期値は、風速を所定の数として１２個を用意し、睡眠周期に合わせて運転パターン記憶手段７に記憶されている。運転パターンは、すくなくとも３段階以上の風速を所定の数だけ順番に並べて形成されており、運転スケジュールは、運転時間設定手段５で設定された運転時間に運転パターンをそれぞれ時間帯ごとに振り分けて生成し記憶する運転スケジュール記憶手段Ａ９が設けられている。睡眠周期は、個人差により９０分から１１０分があるため時間帯ごとの振り分ける時間は、好ましくは、最小３０分から最長３６分といったような有限の値となる。このような場合、運転スケジュールは、運転時間によっては、運転パターン構成する所定の数の風速が不足することがある。
【００４５】
つまり、リモコンなどから運転時間（例えば７時間）が設定された場合、７時間を睡眠周期で想定した運転パターン１２個で分割した時間３５分（７時間×６０分／１２個）が運転パターン１２個のそれぞれの時間帯に振り分けられ運転スケジュール作成手段６に取り込まれる。しかし、運転時間として８時間が設定された場合は、振り分ける時間は最長の３６分が設定され４８分（８時間―３６分×１２＝４８分）の時間が余ることとなる。この場合、運転スケジュール作成手段６に設けた運転スケジュール調整手段６Ａにより８時間までの残時間は最低の風速が設定される。運転スケジュール作成手段６に取り込まれた運転スケジュールは、運転スケジュール記憶手段Ａ９に記憶され運転を開始するとこの運転スケジュールに従いファンモーター２の風速を制御する。このように制御することにより睡眠周期の個人差に合わせて風速を制御することができる。
【００４６】
（実施の形態３）
次に、本発明の実施の形態３について図面を参照しながら説明する。なお、実施の形態１から２と同一のものは同一番号を付し、その詳細な説明を省略する。
【００４７】
図５および図６に示すように、図１から図４のいずれかの構成に加えて本体１の下端に就寝中の身体の動作から寝返りを検知する寝返り検知手段１０として赤外線センサを設けている。この寝返り検知手段１０の寝返りを検知した信号から寝返りを検知した時間帯の風速を１段増やす運転スケジュール変更手段１１を設けている。
【００４８】
また、図７に示すように寝返り検知手段１０の寝返りを検知した信号から寝返りを検知した時間帯の風速を１段階増やす運転スケジュール変更手段Ａ１２と、この運転スケジュール変更手段Ａ１２の運転スケジュールで運転が最後まで行われた場合に、運転パターン記憶手段７に記憶された運転パターンを更新する運転パターン更新手段１３が設けられている。
【００４９】
また、図８に示すように最大の風速の強さを設定する風速設定手段１４と、風速設定手段１４で設定された風速に運転パターン記憶手段７に記憶された運転パターンを更新する運転パターン更新手段Ａ１５を設けている。
【００５０】
上記構成において、運転時間が設定され運転スケジュールの中でファンモーター２が風速「中」で運転していた場合、その時間帯において寝返りを検知する寝返り検知手段１０から複数回の検知信号を受信すると就寝者は発汗量が多いため頻繁に寝返りをしており身体の蒸発を促進するための風速が不足していることが分かる。そこで風速を「中」から強に１段階増やし身体の蒸発を促進することができる。
【００５１】
また、寝返りを検知した時間帯の風速を「中」から「強」に１段階増やした運転スケジュール変更手段Ａ１２によって変更された運転スケジュールで運転が最後まで行われると、この運転パターンは運転パターン更新手段１３によって運転パターン記憶手段７に記憶された運転パターンを更新することとなる。このように制御することにより、就寝者の睡眠周期に合った運転パターンにすることで快適な睡眠環境が得られる。
【００５２】
また、前記のように４段階の風速のうち強い方から３段階の風速を選んで運転パターンを決めている場合であって、さらに強い風速として４段階の風速を備え、つまりファンモーター２に７段階の風速を備えた場合、風速設定手段１４により７段目の風速が設定されると運転パターン更新手段Ａ１５の運転パターンとして順番に並べた風速（初期値は風速４）に対してそれぞれの風速を３段上げて運転パターン記憶手段７に記憶された運転パターンを更新することもできる。このように制御することにより就寝者の個人差や天井扇が設置される室内の広さや天井高さにも対応して快適な睡眠環境が得られる。
【００５３】
（実施の形態４）
次に、本発明の実施の形態４について図面を参照しながら説明する。なお、実施の形態１から３と同一のものは同一番号を付し、その詳細な説明を省略する。
【００５４】
図９に示すように、図１の構成に加えて本体１の下端に室内を照らす照明手段１６として蛍光灯あるいはＬＥＤが制御手段４と接続して設けている。
【００５５】
また、図１０に示すように図１の構成に加えて本体１の下端に少なくとも２灯以上の照明手段Ａ１７として蛍光灯あるいはＬＥＤが制御手段４と接続して設けている。
【００５６】
また、図１１に示すように図１の構成に加えて本体１の制御手段４に報知手段１８としてブザーを設けている。
【００５７】
上記構成において、運転時間が設定され運転スケジュールで運転が最後まで行われると、制御手段４によって照明手段１６が点灯され室内を明るく照らす。このように制御することにより就寝者の覚醒を促し快適に目覚める環境が得られる。
【００５８】
また、運転時間が設定され運転スケジュールで運転が最後まで行われると、制御手段４によって照明手段Ａ１７が１灯ずつ順番に点灯する。このように制御することにより眩しさをやわらげて就寝者の覚醒を促し快適に目覚める環境が得られる。
【００５９】
また、運転時間が設定され運転スケジュールで運転が最後まで行われると、制御手段４によってブザー鳴動する。このように制御することにより就寝者の覚醒を促し快適に目覚める環境が得られる。
【産業上の利用可能性】
【００６０】
サウナ装置等の送風制御にも適用できる。
【符号の説明】
【００６１】
１    本体
２    ファンモーター
３    羽根
４    制御手段
５    運転時間設定手段
６    運転スケジュール作成手段
７    運転パターン記憶手段
８    運転スケジュール記憶手段
９    運転スケジュール記憶手段Ａ
１０  寝返り検知手段
１１  運転スケジュール変更手段
１２  運転スケジュール変更手段Ａ
１３  運転パターン更新手段
１４  風速設定手段
１５  運転パターン更新手段Ａ
１６  照明手段
１７  照明手段Ａ
１８  報知手段
【図１】
2012082764.tif 000003
【図２】
2012082764.tif 000004
【図３】
2012082764.tif 000005
【図４】
2012082764.tif 000006
【図５】
2012082764.tif 000007
【図６】
2012082764.tif 000008
【図７】
2012082764.tif 000009
【図８】
2012082764.tif 000010
【図９】
2012082764.tif 000011
【図１０】
2012082764.tif 000012
【図１１】
2012082764.tif 000013
【図１２】
2012082764.tif 000014